(57)【要約】【課題】      リ−ル本体の底面と後面を外部衝撃による傷付を防ぐ外方に向けて先細りとなる尖頭状に形成した魚釣用スピニングリ−ルを提供することである。【解決手段】  リ−ル本体１は図示しない駆動機構を収容支持する筐体からなるリ−ルボディ２と開口部２ａを閉塞するボディカバ−３から構成されている。  リ−ル本体１の上部の釣竿装着部２ｃと反対側のリ−ルボディ２の底面２ｄは、ボディカバ−３側に突出してリ−ル本体１の全幅と一致し、底面２ｄには外方に向けて先細りとなる尖頭状の突部２ｅが形成されると共に底面から後面の脚部２ｂにかけて外方に向けて先細りとなる尖頭状の突部２ｆが形成されて底面から脚部２ｂに続く最外周形状となっていて、底面２ｄの尖頭状の突部２ｅは、底面２ｄの全幅の中で中央が下方に突出するように形成されている。【選択図】        図２
2006304675.tif 000002
【特許請求の範囲】
【請求項１】
内部に駆動機構を内蔵して該駆動機構をカバ−するリ−ル本体の上部に脚部を介して釣竿装着部を備えてなる魚釣用スピニングリ−ルにおいて、前記リ−ル本体の釣竿装着部と反対側の底面から後面の脚部にかけての最外周形状を、外方に向けて先細りとなる尖頭状に形成されていることを特徴とする魚釣用スピニングリ−ル。
【請求項２】
内部に駆動機構を内蔵して該駆動機構をカバ−するリ−ル本体の上部に脚部を介して釣竿装着部を備えてなる魚釣用スピニングリ−ルにおいて、前記リ−ル本体の底面から後面の脚部にかけての外側部分に装着されるカバ−体の形状が、外方に向けて先細りとなる尖頭状に形成されていることを特徴とする魚釣用スピニングリ−ル。
【発明の詳細な説明】
【技術分野】
【０００１】
本発明は、ハンドル操作で連動回転するロ−タの釣糸案内部を介してスプ−ルに釣糸を巻回する巻き取り駆動機構を内部に収容する魚釣用スピニングリ−ルのリ−ル本体の改良に関する。
【背景技術】
【０００２】
魚釣用リ−ルは、岩場、波止場、波消しブロック等の表面が硬い場所で使用されることが多く、仕掛け、餌の交換や魚の取り込み等の理由で地面に置くケ−スがあるが、この場合、釣竿に装着した時の突出部分が多い。
特に、魚釣用スピニングリ−ルの場合には、リ−ル本体の突出部の表面に外部衝撃を受け易い。
魚釣用スピニングリ−ルのリ−ル本体の外側形状は、例えば、特許文献１に開示されているように、底面から後面の取り付脚部にかけての外周形状は、一般的に平面状に形成され、外側表面は表面処理（装飾層形成）されている。
又、特許文献２にリ−ル本体の底面から後面にかけての強度的保護を図るために、ガ−ド部材を装着固定したものが提案されている。
【特許文献１】実開昭６３−４８４６７号公報
【特許文献２】実開昭５０−１５５２９５号公報
【発明の開示】
【発明が解決しようとする課題】
【０００３】
解決しようとする問題点は、使用中にリ−ル本体に外部衝撃が加わると、この広い外周平面上に形成されている塗装、メッキ、コ−ディング等の外側表面装飾層の広い領域に亘って剥がれたり、傷が発生し易く、美観が損なわれると共にリ−ル本体素材の腐食進行を早めてしまう。
又、リ−ル本体の底面から後面にかけての強度的保護を図るために、ガ−ド部材を装着固定したものは、リ−ル本体の外側形状に沿って断面略コ字状に形成されて装着されているので、平面部分が多くて外部衝撃を受け易く、変形し易い。
又、補強（肉厚、高強度材）すると重くなる、等の課題がある。
【０００４】
本発明の目的は前記欠点に鑑み、リ−ル本体の底面と後面を外部衝撃による傷付を防ぐ外方に向けて先細りとなる尖頭状に形成した魚釣用スピニングリ−ルを提供することである。
【課題を解決するための手段】
【０００５】
本発明の請求項１は、内部に駆動機構を内蔵して該駆動機構をカバ−するリ−ル本体の上部に脚部を介して釣竿装着部を備えてなる魚釣用スピニングリ−ルにおいて、前記リ−ル本体の釣竿装着部と反対側の底面から後面の脚部にかけての最外周形状を、外方に向けて先細りとなる尖頭状に形成されていることを要旨とするものである。
本発明の請求項２は、内部に駆動機構を内蔵して該駆動機構をカバ−するリ−ル本体の上部に脚部を介して釣竿装着部を備てなる魚釣用スピニングリ−ルにおいて、前記リ−ル本体の底面から後面の脚部にかけての外側部分に装着されるカバ−体の形状が、外方に向けて先細りとなる尖頭状に形成されていることを要旨とするものである。
【発明の効果】
【０００６】
本発明の請求項１によれば、外部から衝撃を受けても、リ−ル本体最外周の先細部（稜線部）に衝撃が集中するので、塗装等の表面処理層の剥がれ、傷等の不具合領域を最小限に抑えることができ、美観を維持でき、又、リ−ル本体素材の腐食進行も抑えることができる。
本発明の請求項２によれば、最外形部の平面部が少なくなって強度が増し、軽量化を図りながら強い強度を有するカバ−体が得られ、外部衝撃からの確実なリ−ル本体の保護が可能になる。
【発明を実施するための最良の形態】
【０００７】
リ−ル本体１は図示しない駆動機構を収容支持する筐体からなるリ−ルボディ２と開口部２ａを閉塞するボディカバ−３から構成されている。
ボディカバ−３はリ−ルボディ２にビス１３で取り付けられている。
リ−ル本体１の外側面は塗装等で表面処理層が形成されている。
リ−ル本体１の上部、リ−ルボディ２またはボディカバ−３の上部には上方に延びる脚部２ｂが形成され、脚部２ｂの上方には釣竿装着部２ｃが一体的に形成されている。
リ−ル本体１の釣竿装着部２ｃと反対側のリ−ルボディ２の底面２ｄは、ボディカバ−３側に突出してリ−ル本体１の全幅と一致し、底面２ｄには外方に向けて先細りとなる尖頭状の突部２ｅが形成されると共に底面から後面の脚部２ｂにかけて外方に向けて先細りとなる尖頭状の突部２ｆが形成されて底面から脚部２ｂに続く最外周形状となっている。
底面２ｄの尖頭状の突部２ｅは、底面２ｄの全幅の中で中央が下方に突出するように形成されている。
尖頭状の突部２ｅの前後方向の長さは、リ−ルボディ２の前後方向の底面２ｄの長さの１／４以上が望ましい。
ボディカバ−３の底面３ａは前側のみリ−ルボディ２の底面２ｄと同一面上にある。
【実施例１】
【０００８】
以下、図示の実施例によって本発明を説明すると、図１から図４は第１実施例で、図１は魚釣用スピニングリ−ルの側面図、図２は魚釣用スピニングリ−ルの背面図、図３はリ−ル本体の要部断面背面図、図４はリ−ル本体の後面の断面平面図である。
【０００９】
魚釣用スピニングリ−ルは、リ−ル本体１とリ−ル本体１の前部に回転自在に設けられたロ−タ１０とロ−タ１０の前側に前後に往復動自在に設けられたスプ−ル１１とリ−ル本体１内の図示しない駆動機構を介してロ−タ１０を回転させる左右交換自在のハンドル１２で構成されている。
リ−ル本体１は図示しない駆動機構を収容支持する筐体からなるリ−ルボディ２と開口部２ａを閉塞するボディカバ−３から構成されている。
ボディカバ−３はリ−ルボディ２にビス１３で取り付けられている。
リ−ル本体１の外側面は塗装等で表面処理層が形成されている。
リ−ル本体１の上部、リ−ルボディ２またはボディカバ−３の上部には上方に延びる脚部２ｂが形成され、脚部２ｂの上方には釣竿装着部２ｃが一体的に形成されている。
【００１０】
リ−ル本体１の釣竿装着部２ｃと反対側のリ−ルボディ２の底面２ｄは、図２の背面図でボディカバ−３側に突出してリ−ル本体１の全幅と一致し、底面２ｄには外方に向けて先細りとなる尖頭状の突部２ｅが形成されると共に底面から後面の脚部２ｂにかけて外方に向けて先細りとなる尖頭状の突部２ｆが形成されて底面から脚部２ｂに続く最外周形状となっている。
底面２ｄの尖頭状の突部２ｅは、底面２ｄの全幅の中で中央が下方に突出するように形成されている。
尖頭状の突部２ｅの前後方向の長さは、リ−ルボディ２の前後方向の底面２ｄの長さの１／４以上が望ましい。
ボディカバ−３の底面３ａは前側のみリ−ルボディ２の底面２ｄと同一面上にある。
尖頭状の突部２ｅの先端が尖っているので、外部衝撃を受けた時先端部のみ損傷して先端部以外の両側面Ａ、Ｂや底面２ｄ等他の部分は損傷を免れる。
【００１１】
後面の突部２ｆの形状は図４の（ａ）、（ｂ）、（ｃ）、（ｄ）の各種形状に形成することができる。
尚、突部２ｅの形状も同様に各種形状に形成できる。
図４（ａ）は断面が砲弾先端状で稜線ａを形成し、両側面Ｃ、Ｄとする。
図４（ｂ）は先端の角度ｂが、ｂ≦１５０°に形成されている。
図４（ｃ）は先端の両側が円弧の曲面Ｅ、Ｆで形成されている。
図４（ｄ）は先端の角Ｒが、Ｒ≦Ｒ１０に形成されている。
何れも先端が尖っているので、外部衝撃を受けた時先端部のみ損傷して先端の両側面Ｃ、Ｄ、Ｅ、Ｆ等他の部分は損傷を免れる。
【００１２】
前記のように魚釣用スピニングリ−ルが構成されると、外部から衝撃を受けても、リ−ル本体最外周の先細部（稜線部）に衝撃が集中するので、塗装等の表面処理層の剥がれ、傷等の不具合領域を最小限に抑えることができ、美観を維持でき、又、リ−ル本体素材の腐食進行も抑えることができる。
【実施例２】
【００１３】
図５は第２実施例で、リ−ル本体の要部断面背面図である。
【００１４】
第２実施例では、リ−ルボディ２の底面２ｇ側で、且つ底面２ｇの幅の中央の下側に尖頭状の突部２ｈが形成されている。
この尖頭状の突部２ｈと同形状の尖頭状の突部がリ−ル本体の脚部にかけて後面の外方に向けて形成されている。
他の構成は前記第１実施例と略同一である。
【実施例３】
【００１５】
図６は第３実施例で、リ−ル本体の要部断面背面図である。
【００１６】
第３実施例では、リ−ルボディ２とボディカバ−３の接合部の下側に尖頭状の突部２ｉ、３ｂが位置するように形成されている。
この尖頭状の突部２ｉ、３ｂと同形状の尖頭状の突部がリ−ル本体の脚部にかけて後面の外方に向けて形成されている。
他の構成は前記第１実施例と略同一である。
【実施例４】
【００１７】
図７は第４実施例で、リ−ル本体の要部断面背面図である。
【００１８】
第４実施例では、リ−ルボディ２とボディカバ−３の厚みが略同一で、ボディカバ−３のリ−ルボディ２寄り側の下側に尖頭状の突部３ｃが形成されている。
リ−ルボディ２の底面を２ｊとする。
尖頭状の突部３ｃと同形状の尖頭状の突部がリ−ル本体の脚部にかけて後面の外方に向けて形成されている。
他の構成は前記第１実施例と略同一である。
【実施例５】
【００１９】
図８は第５実施例で、リ−ル本体の要部断面背面図である。
【００２０】
第５実施例では、リ−ルボディ２の底面２ｋの下側にボディカバ−３の底面３ｄが回り込み、底面３ｄの幅のおよそ中央の下側に尖頭状の突部３ｅが形成されている。
この尖頭状の突部３ｅと同形状の尖頭状の突部がリ−ル本体の脚部にかけて後面の外方に向けて形成されている。
他の構成は前記第１実施例と略同一である。
【実施例６】
【００２１】
図９、図１０は第６実施例で、図９はリ−ル本体からカバ−体を離脱した魚釣用スピニングリ−ルの側面図、図１０はリ−ル本体の要部断面背面図である。
【００２２】
第６実施例では、リ−ル本体１のリ−ルボディ２の底面２ｇとボディカバ−３の底面３ａとリ−ルボディ２の底面２ｇから脚部２ｂにかけた後面２ｍにカバ−体４の開口端部が、リ−ルボディ２とボディカバ−３を挾着する状態で適宜方法で着脱可能に固定されている。
カバ−体４は金属板や合成樹脂板等で形成され、底面側の尖頭状の突部４ａと後面２ｍ側の尖頭状の突部４ｂが外方に向けて先細りとなるように形成されている。
【００２３】
第６実施例のように構成されると、最外形部の平面部が少なくなって強度が増し、軽量化を図りながら強い強度を有するカバ−体４が得られ、外部衝撃からの確実なリ−ル本体１の保護が可能になる。
【実施例７】
【００２４】
図１１は第７実施例で、リ−ル本体の要部断面背面図である。
【００２５】
第７実施例では、カバ−体５は金属板が折り曲げて底面側の尖頭状の突部５ａの形状が形成され、第６実施例と同様にリ−ルボディ２の後面側に尖頭状の突部５ａと同形の尖頭状の突部がカバ−体５に外方に向けて先細りとなるように形成されている。
カバ−体５はリ−ル本体１の後部外周に接当する状態で適宜方法でリ−ル本体１に着脱可能に固定されている。
先端の角度ｂが、ｂ≦１５０°に形成されている。
他の構成は前記第６実施例と略同一である。
【実施例８】
【００２６】
図１２は第８実施例で、カバ−体の断面図である。
【００２７】
第８実施例では、カバ−体６は金属板が略Ｖ字状に折り曲げてられて底面側の尖頭状の突部６ａの形状が形成され、第６実施例と同様にリ−ルボディ２の後面側に尖頭状の突部６ａと同形の尖頭状の突部がカバ−体６に外方に向けて先細りとなるように形成されている。
カバ−体６は適宜方法でリ−ル本体に固定されている。
他の構成は前記第６実施例と略同一である。
【実施例９】
【００２８】
図１３は第９実施例で、カバ−体の断面図である。
【００２９】
第９実施例では、カバ−体７は金属板が折り曲げられて底面側の尖頭状の突部７ａの形状が形成され、第６実施例と同様にリ−ルボディ２の後面側に尖頭状の突部７ａと同形の尖頭状の突部がカバ−体７に外方に向けて先細りとなるように形成されている。
突部７ａの先端の両側が円弧の曲面Ｅ、Ｆで形成されている。
カバ−体７は適宜方法でリ−ル本体に固定されている。
他の構成は前記第６実施例と略同一である。
【実施例１０】
【００３０】
図１４は第１０実施例で、リ−ル本体の要部断面背面図である。
【００３１】
第１０実施例では、カバ−体８が合成樹脂で内部に凹状の空間部８ａを形成して底面側に尖頭状の突部８ｂが形成され、第６実施例と同様にリ−ルボディ２の後面側に同形の尖頭状の突部８ｂがカバ−体８に外方に向けて先細りとなるように形成されている。
カバ−体８は適宜方法でリ−ル本体１に固定されている。
他の構成は前記第６実施例と略同一である。
【実施例１１】
【００３２】
図１５は第１１実施例で、リ−ル本体の要部断面背面図である。
【００３３】
第１１実施例では、カバ−体８を合成樹脂で中実状に形成して底面側に尖頭状の突部８ｃが形成され、第６実施例と同様にリ−ルボディ２の後面側に尖頭状の突部８ｃと同形の尖頭状の突部がカバ−体８に外方に向けて先細りとなるように形成されている。
カバ−体８は適宜方法でリ−ル本体１に固定されている。
他の構成は前記第６実施例と略同一である。
【産業上の利用可能性】
【００３４】
筐体状のリ−ル本体を有する魚釣用リ−ルに適用可能である。
【図面の簡単な説明】
【００３５】
【図１】第１実施例で、魚釣用スピニングリ−ルの側面図である。
【図２】同魚釣用スピニングリ−ルの背面図である。
【図３】同リ−ル本体の要部断面背面図である。
【図４】同リ−ル本体の後面の断面平面図である。
【図５】第２実施例で、リ−ル本体の要部断面背面図である。
【図６】第３実施例で、リ−ル本体の要部断面背面図である。
【図７】第４実施例で、リ−ル本体の要部断面背面図である。
【図８】第５実施例で、リ−ル本体の要部断面背面図である。
【図９】第６実施例で、リ−ル本体からカバ−体を離脱した魚釣用スピニングリ−ルの側面図である。
【図１０】同リ−ル本体の要部断面背面図である。
【図１１】第７実施例で、リ−ル本体の要部断面背面図である。
【図１２】第８実施例で、カバ−体の断面図である。
【図１３】第９実施例で、カバ−体の断面図である。
【図１４】第１０実施例で、リ−ル本体の要部断面背面図である。
【図１５】第１１実施例で、リ−ル本体の要部断面背面図である。
【符号の説明】
【００３６】
１  リ−ル本体
２  リ−ルボディ
２ｂ  脚部
２ｃ  釣竿装着部
２ｄ、２ｇ、２ｊ、２ｋ、３ｄ  底面
２ｅ、２ｆ、２ｈ、２ｉ、３ｂ、３ｃ、３ｅ、４ａ、４ｂ、５ａ、６ａ、７ａ、８ｂ、８ｃ  外方に向けて先細りとなる尖頭状の突部
２ｍ  後面
３  ボディカバ−
４、５、６、７、８  カバ−体
【図１】
2006304675.tif 000003
【図２】
2006304675.tif 000004
【図３】
2006304675.tif 000005
【図４】
2006304675.tif 000006
【図５】
2006304675.tif 000007
【図６】
2006304675.tif 000008
【図７】
2006304675.tif 000009
【図８】
2006304675.tif 000010
【図９】
2006304675.tif 000011
【図１０】
2006304675.tif 000012
【図１１】
2006304675.tif 000013
【図１２】
2006304675.tif 000014
【図１３】
2006304675.tif 000015
【図１４】
2006304675.tif 000016
【図１５】
2006304675.tif 000017